(57)【要約】【課題】  伸縮自在で、脱着及び持ち運びが容易な、夜間発見率向上に寄与する反射材、発光材又は蓄光材を備えた装具を提供する。【解決手段】  本発明の装具１０は、伸縮性を有する柔軟な基材１２と、反射材、発光材又は蓄光材を転写した転写部１１と、を有するものであり、転写部が基材の伸縮方向に所望の間隔をあけて複数カ所に形成されていることを特徴とすることで、装具が伸縮自在であることから、腕、足等への脱着が容易で、かつ密着させることができ、また、基材となる繊維等が柔軟であるため、付け心地が不快ではなく、小さく折り畳んで携帯できるという優れた効果を奏する。【選択図】      図１
2011044235.tif 000002
【特許請求の範囲】
【請求項１】
伸縮性を有する柔軟な基材と、反射材、発光材又は蓄光材を転写した転写部と、を有することを特徴とする装具。
【請求項２】
前記基材が、主として一方向に伸縮性を有する基材であり、
前記転写部は、前記基材の伸縮方向に所望の間隔をあけて複数カ所に形成されていることを特徴とする請求項１に記載の装具。
【請求項３】
前記基材が、２方向又は複数の方向に伸縮性を有する基材であり、
前記転写部は、点状又は小さな模様で前記基材のそれぞれの伸縮方向に対し所望の間隔をあけて複数カ所に形成されていることを特徴とする請求項１に記載の装具。
【請求項４】
前記装具が、前記基材の１つの伸縮方向に環状を形成していることを特徴とする請求項１〜３のいずれかに記載の装具。
【請求項５】
前記反射材が、再帰性反射材であることを特徴とする請求項１〜４のいずれかに記載の装具。
【請求項６】
前記転写部が、反射材、発光材又は蓄光材を有するフィルムを熱圧着することにより形成されたことを特徴とする請求項１〜５のいずれかに記載の装具。
【請求項７】
前記転写部が、反射材、発光材又は蓄光材を含有したインクをスクリーン印刷して形成されたことを特徴とする請求項１〜６のいずれかに記載の装具。
【発明の詳細な説明】
【技術分野】
【０００１】
本発明は、伸縮自在で、脱着及び持ち運びが容易な、夜間発見率向上に寄与する反射材、発光材又は蓄光材を備えた装具に関するものである。
【背景技術】
【０００２】
夕方や夜間になると、自動車等の運転者から歩行者や自転車等が見えにくくなり、交通事故が発生することがある。このような対策として、歩行者等には明るく目立つ服を着用することが推奨されるのだが、一般的には黒っぽい服を着ている人の割合が高いのが実情である。そこで、明るい服を着用するのとは別に、反射材、発光材又は蓄光材を備えた装具（以下、「装具」とは、人が身につける装身具、及び、人以外の物全般に取り付ける物を意味するものとする。）を身につけることで、運転者からの視認性を向上させるという対策が考えられる。
【０００３】
反射材等を備えた装具としては、工事現場などで使用されるベストや、特定の作業着などが思い浮かぶが、いずれも一般的に広く使用されるものではない。これにはファッション的要素が大きく影響していると考えられるが、それだけでなく、反射材等が分厚いため着心地が悪いことや、収納や持ち運びに不便であるといったことも影響していると考えられる。
【０００４】
また、携帯した腕章等（例えば、特許文献１に記載の腕章）を面ファスナーや安全ピンで留めたり、鞄等に反射性のテープを貼るのも有効であるが、実行している人をあまり見かけない。これは、安全意識が広く浸透していないからであるとも言えるが、従来の腕章等は、折り曲げにくく持ち運びに不便であり、また、装着が煩雑であるという問題を有しているからであるとも言える。なお、反射性のテープは、昼間の見た目が良くないので、あまり使われていないと考えられる。
【先行技術文献】
【特許文献】
【０００５】
【特許文献１】実開平１−１３６９８８
【発明の概要】
【発明が解決しようとする課題】
【０００６】
しかしながら、反射材等で自らの存在位置を運転者に知らせ、夜間発見率向上を図ることは安全面から重要なことであるから、もっと一般に普及させるべきである。そのためには、従来よりも使い易い装具を提供する必要がある。
【０００７】
そこで、本発明は斯かる実情に鑑み、伸縮自在で、脱着及び持ち運びが容易な、夜間発見率向上に寄与する反射材、発光材又は蓄光材を備えた装具を提供するものである。
【課題を解決するための手段】
【０００８】
本発明の装具は、伸縮性を有する柔軟な基材と、反射材、発光材又は蓄光材を転写した転写部と、を有することを特徴とするものである。なお、基材が主として一方向に伸縮性を有する場合は、転写部は、前記基材の伸縮方向に所望の間隔をあけて複数カ所に形成されている構成にすると良い。また、基材が２方向又は複数の方向に伸縮性を有する場合は、転写部は、点状又は小さな模様で前記基材のそれぞれの伸縮方向に対し所望の間隔をあけて複数カ所に形成されている構成にすると良い。
【０００９】
ここで、装具が、基材の１つの伸縮方向に環状を形成している構成にしたり、反射材として再帰性反射材を使用することもできる。また、転写部は、反射材、発光材又は蓄光材を有するフィルムを熱圧着することにより形成しても良いし、反射材、発光材又は蓄光材を含有したインクをスクリーン印刷することにより形成しても良い。
【発明の効果】
【００１０】
従来は伸縮性を有する柔軟な基材に反射材等を転写した装具はなかったが、本発明によれば、伸縮性を阻害されないため、転写が可能となった。また、本発明の装具によれば、伸縮自在であることから、腕、足等への脱着が容易で、かつ密着させることができる。そして、基材が柔軟であるため、付け心地が不快ではなく、また、小さく折り畳んで携帯できるという優れた効果を奏する。さらに、人が着用するだけでなく、鞄、杖、自転車、工事用具など様々な物に装着して使用することもできるので、利用範囲が広くなるという効果も奏する。
【図面の簡単な説明】
【００１１】
【図１】一方向に伸縮する基材に反射材等を転写した装具を示す図である。
【図２】図１の装具を環状にした図である。
【図３】複数の方向に伸縮する基材に反射材等を転写した装具を示す図である。
【発明を実施するための形態】
【００１２】
以下、本発明の実施の形態を添付図面を参照して説明する。
図１は、一方向に伸縮する基材に反射材等を転写した装具を示す図である。装具１０は、基材１２の表面に反射材、発光材又は蓄光材を有するフィルムを用いて熱圧着したり、又は、反射材、発光材又は蓄光材を含有するインクをスクリーン印刷した転写部１１を形成したものである。基材１２は、メリヤスのように主として一方向に伸縮性及び柔軟性を有する繊維、ゴム、樹脂等である。その基材１２の表面に、基材１２が伸縮する方向に所望の間隔をあけて転写部１１を複数カ所に形成している。
【００１３】
ここで、転写部１１が反射材の場合は、入射した光を光源に向けて反射する再帰性反射材を用いるのが、視認距離が長いことから望ましい。再帰性反射材の場合は、例えば、３Ｍ（登録商標）スコッチライト（登録商標）反射トランスファーフィルムを使用することができる。この反射フィルムは、表面にガラスビーズをコーティングしたものであり、裏面には熱活性型接着剤を塗布しているため、熱圧着により基材１２に転写できるものである。反射フィルムを転写すると、図１の断面図のように基材１２の上に転写部１１が設けられることになるのだが、反射フィルムの厚さは０．１ｍｍ程度であるため、実際にはほとんど厚さはなく、装具を小さく折り畳んで携帯するには良好である。なお、このような反射材以外でも、夜間の視認性に寄与するという目的であれば、発光材や蓄光材を用いても良い。
【００１４】
転写部１１は、基材１２と比べて伸縮率が小さいため、基材１２の全面に渡って反射材等を転写すると、伸縮を阻害し、転写部１１には割れや剥がれを生じることがある。そこで、反射材等を伸縮方向に所望の間隔をあけて転写すれば、基材１２はその転写していない部分で伸縮できるので、装具１０全体の伸縮性は阻害されることがない。よって、転写部１１の形状は、基材１２の伸縮方向に直交する方向を長辺とする長方形、楕円、その他の細長の形状とすることが望ましい。また、伸縮方向に所望の間隔をあけていれば、点状の列や、波状の模様などにすることも可能である。なお、基材１２が一方向のみに伸縮する場合であっても、転写部１１の長手方向にも基材１２は多少伸縮する。しかし、この方向の伸縮は、転写部１１でもほぼ追従可能である。
【００１５】
また、反射材、発光材又は蓄光材を含有したインクを基材１２にスクリーン印刷することで、フィルムを熱圧着したときと同様の効果を奏する転写部１１を形成することができる。このときも、伸縮方向に間隔をあけて印刷すれば、装具１０全体の伸縮性を阻害しないという効果が得られる。
【００１６】
図２は、図１の装具を環状にした図である。このように、環状にすることにより、手軽にいろいろな部位に、本発明の装具１０を装着することができる。例えば、腕章として用いるだけでなく、足に装着することもできる。また、大きさを変えれば、頭（帽子又はヘルメット）に付けたり、胴に付けることも可能である。さらに、人に着用するだけでなく、杖や傘の持ち手部分、鞄などに取り付けて使用することもできる。また、自転車のカゴに被せるような形にすれば、ひったくり対策を兼ねた使用もできる。つまり、従来よりも手軽に持ち運びができ、利用範囲も広くなる。
【００１７】
なお、図２では装具１０自体で閉じた環状にする例を示しているが、図１の装具１０の端部に面ファスナーやファスナーを設けることで環状にして使用することもできる。腕章のような場合には、図２のような閉じた環状になっている方が、腕を通すだけで良いので手軽であるが、例えば靴を履いているときに足に通したいような場合には、靴が邪魔になるので、足に巻き付けて、面ファスナー等で留める方が装着しやすいことになる。
【００１８】
図３は、複数の方向に伸縮する基材（例えばゴム）に反射材等を転写した装具を示す図である。ここでは、基材１２があらゆる方向に伸縮する場合の転写部１１の配置が問題となる。反射材等は、基材１２と比較して伸縮率が小さいため、伸縮方向に間隔をあけずに転写すると、基材１２の伸縮性を阻害することになり、また、転写部１１に割れや剥がれが生じやすくなるからである。
【００１９】
基材１２の伸縮方向が図１のように一方向であれば、転写部１１は長方形等の細長の形状にし、伸縮方向に間隔をあければ良いのだが、図３のように複数の方向に伸縮する場合は、転写部１１は、点状又は小さな模様として、配置させる必要がある。そして図３のように等間隔に整列させると、縦横、斜めのいずれの方向に対しても転写部１１はある程度の間隔をあけることができるので、装具２０の伸縮に際して割れ等の問題は生じにくいと考えられる。なお、ここで小さな模様というのは、丸、三角、四角等のような単純な形状だけではなく、製造できる範囲に限られるものの、文字やワンポイントの図柄のようなものであっても良い。
【００２０】
なお、図３のような複数の方向に伸縮する基材の場合も、図２のように環状にすることによって、利用範囲が広がり、携帯性も向上する。また、あらゆる方向に伸縮するため、膝や肘のような関節にも装着することができる。
【００２１】
また、反射材、発光材又は蓄光材を含有したインクをスクリーン印刷した場合も、熱圧着したときと同様に、転写部１１を点状又は小さな模様として配置させれば、伸縮を阻害することはなく、転写部１１に割れや剥がれが生じることを抑制することもできるという同様の効果が得られる。
【産業上の利用可能性】
【００２２】
本発明のように、伸縮性及び柔軟性に富む繊維等に反射材等を熱圧着又はスクリーン印刷して使用することにより、反射材等の利用範囲が広がった。また、本発明の装具は、小さく折り畳めるので手軽に携帯できることから、一般に普及しやすく、交通安全に貢献できるものと考える。
【符号の説明】
【００２３】
１０，２０  装具
１１        転写部
１２        基材
【図１】
2011044235.tif 000003
【図２】
2011044235.tif 000004
【図３】
2011044235.tif 000005